(57)【要約】【課題】読影レポートを容易に作成することが可能な読影レポートシステムを提供する【解決手段】実施形態の読影レポートシステムは、医用画像に基づき各種の測定項目について異なる時期に測定されたとき、測定項目における測定値を記載して作成された過去のレポートに基づいて、新たなレポートを作成する。読影レポートシステムは、レポート作成支援機能を有する。レポート作成支援機能は、測定値と時期とを対応付けて一覧表示させる。【選択図】図１
2014102629.tif 000002
【特許請求の範囲】
【請求項１】
医用画像に基づき各種の測定項目について異なる時期に測定されたとき、前記測定項目における測定値を記載して作成された過去のレポートに基づいて、新たなレポートを作成する読影レポートシステムにおいて、
前記測定値と前記時期とを対応付けて一覧表示させるレポート作成支援機能を有すること、
を特徴とする読影レポートシステム。
【請求項２】
前記レポート作成支援機能は、
前記測定項目における前記測定値と、前記測定された時期と、前記過去のレポートが記憶されるアドレスと、を対応付けてレポート記憶部に記憶させる記憶手段と、
前記各種の測定項目及び前記異なる時期の中から入力部の操作による指定を受けて、前記対応付けて記憶された前記測定値と前記時期とを検索する検索手段と、
前記検索された結果に基づいて、前記測定値と前記時期とを一覧表示させる表示制御手段と、
を有すること、
を特徴とする請求項１に記載の読影レポートシステム。
【請求項３】
前記表示制御手段は、入力部の操作による指定を受けて、前記測定値を、前記時期を表す横軸及び前記測定値の大きさを表す縦軸を有する座標上の点として表示させること、
を特徴とする請求項２に記載の読影レポートシステム。
【請求項４】
前記表示制御手段は、入力部の操作により、前記座標上の前記点が指定されたことを受けて、前記指定された前記点に対応する前記レポートを前記記憶手段を参照して表示させること、
を特徴とする請求項３に記載の読影レポートシステム。
【請求項５】
前記表示制御手段は、入力部の操作による指定を受けて、前記横軸方向で隣り合う点同士により挟まれた線分から構成された線グラフで表示させること、
を特徴とする請求項３に記載の読影レポートシステム。
【請求項６】
前記表示制御手段は、入力部の操作により、いずれか一つの前記線分が指定されたことを受けて、前記一つの線分を挟む点に対応する前記レポートを前記記憶手段を参照して一覧表示させること、
を特徴とする請求項５に記載の読影レポートシステム。
【請求項７】
前記表示制御手段は、入力部の操作により、複数の前記線分の全体が指定されたことを受けて、前記指定された前記線分を挟む点に対応するレポートを一覧表示させること、
を特徴とする請求項５に記載の読影レポートシステム。
【請求項８】
前記表示制御手段は、前記複数のレポートを横に並べて表示させること、
を特徴とする請求項６または請求項７に記載の読影レポートシステム。
【請求項９】
前記表示制御手段は、前記複数のレポートと共に、予め定められた表示要素を表示させ、
さらに、前記表示制御手段は、入力部の操作により、前記表示要素が指定されたことを受けて、サマリーレポートを作成するための画面を表示させること、
を特徴とする請求項６から請求項８のいずれかに記載の読影レポートシステム。
【請求項１０】
前記表示された複数のレポートに対し、データマイニングの手法を用いて、前記レポートに記載された文字を解析し、前記測定項目とそれにおける前記測定値との組を探し出す検索手段をさらに有すること、
を特徴とする請求項１に記載の読影レポートシステム。
【発明の詳細な説明】
【技術分野】
【０００１】
本発明の実施形態は、読影レポートシステムに関する。
【背景技術】
【０００２】
病院などの医療施設において、超音波診断装置、Ｘ線ＣＴ（Ｃｏｍｐｕｔｅｄ  Ｔｏｍｏｇｒａｐｈｙ：コンピュータ断層撮影）装置、ＭＲＩ（Ｍａｇｎｅｔｉｃ  Ｒｅｓｏｎａｎｃｅ  Ｉｍａｇｉｎｇ：磁気共鳴映像）装置などの様々な医療検査装置（モダリティ）が普及している。
【０００３】
検査の依頼を受けて、検査項目が選択される。検査項目に係るモダリティを用いて被検体が撮影される。撮影された結果（撮影データ）に基づいて画像が生成される。画像は、ＤＩＣＯＭサーバに記憶される。なお、「被検体」を「患者」という場合がある。ＤＩＣＯＭサーバに記憶された画像は、レポートサーバに送られる。
【０００４】
読影医は、ＤＩＣＯＭ画像に基づいて病変部の形態や機能を測定する。以下、具体的な測定対象を「測定項目」という場合がある。
【０００５】
測定項目における測定値（測定結果）は、検査された時期と共に、レポートサーバに送られ、記憶される。また、読影医は、レポートクライアントを用いて、レポートサーバから画像及び測定結果を受信し、画像及び測定結果に基づいて、レポートを作成する（例えば、特許文献１）。作成されたレポート（読影レポート）は、レポートサーバに記憶される。ここで、「検査された時期」というときは、時系列的観察において行われた各検査の時期をいい、広く、検査実施日、病変部の形態等が測定された日、レポートが作成された日（登録日）を含むものとし、これらを総称して、「検査時期」という場合がある。
【０００６】
医療施設においては、例えば、患部の経過観察、治療前と治療中の病変部の状態を監視すること（効果判定）、及び、病期診断（ステージング（ｓｔａｇｉｎｇ））などが含まれる時系列的観察では、異なる時期に患部等の検査が実施される。
【０００７】
このような時系列的観察では、異なる時期毎に読影レポートが作成される。作成された複数の読影レポートはレポートサーバに記憶される。
【０００８】
読影医が読影レポートを作成するとき、その患者に係る過去の読影レポートを参照することがある。このとき、読影医は、読影レポートをレポートクライアントのディスプレイに表示させ、読影レポートに含まれる測定値を探し出し、測定値の推移や経過を参照して、新たな読影レポートを作成する。
【０００９】
特に、時系列的観察においては、過去の複数の読影レポートを参照することがある。このとき、複数の読影レポートの全部が一画面で表示されないときがある。表示されていない読影レポートを表示させるために、例えば、スクロールバーや画面切替ボタンの操作をする必要がある。
【００１０】
このようにして、新たに作成された読影レポートは、過去の読影レポートと共に、レポートサーバに記憶される。
【００１１】
レポートサーバに記憶された読影レポートは、端末のディスプレイに表示可能とする。検査の依頼をした診療医は、端末のディスプレイに表示された読影レポートに基づき患者に対する診断を行う。このとき、読影医により参照された測定値の推移や経過を、診療医が確認できることが好ましい。
【先行技術文献】
【特許文献】
【００１２】
【特許文献１】特開２００９−６０９４５号公報
【発明の概要】
【発明が解決しようとする課題】
【００１３】
しかしながら、過去の読影レポートを参照して、読影レポートの作成をするとき、次の問題点がある。
１）過去の読影レポートに含まれる測定値を探し出すことに多くの時間を要し、また、過去の読影レポートの全部を一画面に表示できないとき、測定値を探し出すことにさらに多くの時間を要し、読影レポートの作成が困難になる。２）さらに、読影レポートの全部を表示させるために、スクロールバー等の操作が煩わしく、読影レポートの作成が困難になるという問題点があった。
【００１４】
この実施形態は、上記の問題を解決するものであり、読影レポートを容易に作成することが可能な読影レポートシステムを提供することを目的とする。
【課題を解決するための手段】
【００１５】
上記課題を解決するために、実施形態の読影レポートシステムは、医用画像に基づき各種の測定項目について異なる時期に測定されたとき、測定項目における測定値を記載して作成された過去のレポートに基づいて、新たなレポートを作成し、レポート作成支援機能を有する。レポート作成支援機能は、測定値と時期とを対応付けて一覧表示させる。
【図面の簡単な説明】
【００１６】
【図１】測定項目における測定値の表示例を示す図。
【図２】レポートクライアントの機能ブロック図。
【図３】患者情報の画面の一例を示す図。
【図４】読影レポートの一例を示す図。
【図５】一実施形態に係る読影レポートシステムの構成ブロック図。
【図６】一覧表示された測定値及び検査時期の一例を示す図。
【図７】グラフ表示された測定値及び検査時期の一例を示す図。
【図８】二つの読影レポートの表示例を示す図。
【図９】三つの読影レポートの表示例を示す図。
【図１０】サマリーレポート作成画面の一例を示す図。
【図１１】サマリーレポートの表示例を示す図。
【図１２】サマリーレポートの中で表示されるキー画像の一例を示す図。
【図１３】サマリーレポートの中で表示されるキー画像の他の例を示す図。
【図１４】サマリーレポートの中で表示されるキー画像の他の例を示す図。
【図１５】サマリーレポートの内容の一例を示す図。
【図１６】読影レポートの作成における一連の動作を示すフローチャート。
【図１７】検査オーダーの発行から読影レポートの作成までの一連の動作を示すフローチャート。
【発明を実施するための形態】
【００１７】
読影レポートシステムの一実施形態について各図を参照して説明する。
【００１８】
本実施形態では、医療施設において、異なる時期に患部等の検査が実施される時系列的観察が行われ、検査毎の過去の読影レポートがレポートサーバ５に記憶されていることを前提として、これらの過去の読影レポートを参照して、読影医が新たな読影レポートを作成するとき、その作成を支援する機能が設けられている。
【００１９】
ここで、時系列的観察の一例として、狭心症の発作を起こした患者に対し、病院側で降圧剤や抗血小板薬などが定期的に服用されるケースを挙げる。このケースでは、検査項目として血管超音波検査が選択される。
【００２０】
血管超音波検査では、頸部血管の形態と血流（機能）を測定項目とし、それらの測定項目における測定値から、狭窄や動脈解離の有無およびその程度などが評価される。ここで、測定項目における測定値としては、例えば、収縮期最大速度、時間平均最大流速、拡張末期血流速度、拍動計数（ｐｕｌｓａｔｉｌｉｔｙ  Ｉｎｄｅｘ：ＰＩ）、抵抗計数（Ｒｅｓｉｓｔａｎｃｅ  Ｉｎｄｅｘ：ＲＩ）、内径［ｍｍ］、平均流速比、拡張末期流速比、内径比（ｒａｔｅ  ｏｆ  ｓｔｅｎｏｓｉｓ：ＲＳ）が含まれる。
【００２１】
なお、「拍動計数」は、次の式で表される。
ＰＩ＝（Ｖ１−Ｖ２）／Ｖ３          （１）
ここで、Ｖ１を収縮期最大速度、Ｖ２を拡張末期血流速度、Ｖ３を時間平均最大血流速度とする。
【００２２】
また、「抵抗計数」は、次の式で表される。
ＲＩ＝（Ｖ１−Ｖ２）／Ｖ１          （２）
【００２３】
さらに、「内径比」は、次の式で表される。
ＲＳ＝Ｄ１／Ｄ２          （３）
ここで、Ｄ１を狭窄部位の内腔、Ｄ２を血管腔とする。
なお、内径比は狭窄率とも称される。
【００２４】
図１は測定項目における測定値の表示例を示す図である。図１に示すように、測定項目の一例としては、“右総頸動脈”、“左総頸動脈”、“右内頸動脈”、“左内頸動脈”、“右椎骨動脈”、“左椎骨動脈”の各頸部血管に関する、“収縮期最大速度”、“時間平均最大流速”、“拡張末期血流速度”、“ＰＩ”、“ＲＩ”、“内径（ｍｍ）”、“平均流速比“、“拡張末期流速比”、“ＲＳ”である。なお、図１では、各測定項目における測定値を“＊＊＊＊”で示す。なお、測定項目における測定値を単に「測定値」という場合がある。
【００２５】
図１に示す測定項目における測定値は、検査時期毎にレポートサーバ５に記憶される。読影レポートを作成するときに用いられるレポートクライアント６に、この検査時期毎の測定項目における測定値が表示された画面を並べて表示させ、所望の測定項目における測定値を画面毎に確認しながら、新たな読影レポートを作成することも可能であるが、その確認に多くの時間がかかってしまう。この実施形態のレポート作成支援機能では、所望の測定項目における測定値を一覧表示させることで、読影レポート作成を容易にするものである。
【００２６】
〔レポート作成支援機能の一例〕
図２は、レポートクライアント６のシステムの機能ブロック図である。ここで、レポートクライアント６というときは、ＤＩＣＯＭ画像の読影をするときに用いられる端末、及び、読影レポートを作成するときに用いられるレポート作成端末を含むものとする。
【００２７】
図２に示すように、レポートクライアント６は、記憶手段６１、表示制御手段６２、入力部６３、ディスプレイ６４及び検索手段６５を有している。これらにより、レポート作成支援機能６０１及びサマリーレポート作成支援機能６０２が構成されている。
【００２８】
以下の実施形態においては、レポート作成支援機能６０１を説明し、その変形例において、サマリーレポート作成支援機能６０２を説明する。
【００２９】
（記憶手段）
図２に示すように、記憶手段６１は、記憶手段６１は、患者情報の一例として、測定項目における測定値及び検査時期（ここでは登録日）を対応付けて、レポート記憶部６１１に記憶させる。また、記憶手段６１は、読影レポートをレポート記憶部６１１に記憶させる。さらに、記憶手段６１は、読影レポートが記憶されているアドレスと患者ＩＤ及び検査時期とを対応付けて、レポート記憶部６１１に記憶させる。このように対応づけられているので、検索手段６５は、患者ＩＤ、測定項目、及び検査時期を基に、レポート記憶部６１１を参照して、その患者に関して、検査時期における読影レポートを検索することが可能となる。
【００３０】
（表示制御手段）
表示制御手段６２は、患者情報をディスプレイ６４に表示させる（図２に示す「患者データ表示」）とともに、読影レポートをディスプレイ６４に表示させる（図２に示す「読影レポート」）。
【００３１】
（入力部）
入力部６３は、マウス、キーボード、タッチパネルを含み、その操作により、ディスプレイ６４に表示された患者情報（患者ＩＤ、測定項目、及び検査時期）を指定する。ここで、「入力部６３の操作による指定」とは、例えば、マウスを用いて、カーソルをディスプレイ６４の画面上で移動させ、クリックをするによりその移動先の表示領域を指定することをいう場合がある。以下、同様とする。
例えば、測定項目の表示領域にカーソルが移動されて、クリックされることで、その測定項目が指定される。
【００３２】
また、図２及び図３に示すように、患者情報の画面には、入力部６３の一つであるアイコン６３１、６３２、６３３が表示され、テキストボックス６３４が表示されている。これらのアイコンの表示領域にカーソルが移動されて、クリックされることで、そのアイコンに係るプログラムの実行が指示される。図３に測定項目としての「頸部血管」の表示領域に移動されたカーソルを示し、さらに、アイコン６３１の表示領域に移動されたカーソルを示す。さらに、テキストボックス６３４の表示領域にテキスト（ここでは、検査時期の範囲）が入力されることで、その検査時期の範囲に基づき、検索のプログラムの実行が指示される。例えば、検査時期の範囲として、「１／１／２０１１−１２／３１／２０１１」のように、一年分の検査時期が入力される。
【００３３】
（検索手段）
検索手段６５は測定項目検索部６５１を有する。測定項目検索部６５１は、入力部６３の操作による指定を受けて、レポート記憶部６１１を参照して、測定項目における測定値、検査時期を検索し、検索結果として、内部メモリに記憶させる。
【００３４】
表示制御手段６２は、検索結果に基づいて、入力部６３の操作による（図２、図３に示すアイコン６３１）の指定を受けて、測定項目における測定値及び検査時期をディスプレイ６４に一覧表示させる（図２に示す「リスト表示」、図６参照）。また、表示制御手段６２は、検索結果に基づいて、入力部６３の操作による（図３、図２に示すアイコン６３２）の指定を受けて、測定項目における測定値及び検査時期をディスプレイ６４に一覧表示させる（図２に示す「グラフ表示」、図７参照）。
【００３５】
図３は患者情報の画面の一例を示す図である。図３に、各測定項目における測定値（図１参照）、患者ＩＤ、検査名（検査項目）、及び、登録日（検査時期）を示す。これらは、患者情報の一つとして患者情報の画面に表示される。
【００３６】
これらの測定項目における測定値の全部または一部は、それに関連する患者ＩＤ、検査名（検査項目）、及び、登録日（検査時期）に係る読影レポートに記載されている。
【００３７】
図３に示すように、患者情報の画面には各種の表示要素（アイコン６３１、６３２を含む）が表示される。入力部６３の操作によりアイコン６３１、６３２が指定されたことを受けて、表示制御手段６２が、対応付けられた測定項目における測定値及び検査時期を一覧表示させる。
【００３８】
なお、一覧表示させるとき、図１に示す測定項目における測定値等のデータを用いてもよく、また、このようなデータがない場合は、例えば、後述するように、公知のデータマイニングの手法を用いて、読影レポートに記載された文字を解析し、対応付けられた測定項目における測定値及び検査時期を検索してもよい。
【００３９】
図１に示す測定項目における測定値等のデータを用いる場合は、そのデータは、読影医により所望の測定項目に絞り込まれ、絞り込まれた測定項目における測定値等を一覧表示させる。公知のデータマイニングの手法を用いる場合は、検索された測定項目における測定値等をそのまま一覧表示させてもよく、さらに、読影医により絞り込まれた測定項目における測定値等を一覧表示させてもよい。
【００４０】
上記の測定項目の測定には、公知の断層心エコー法、Ｍモード法、及び、ドプラ法が用いられる。
【００４１】
図４は、読影レポートの一例を示す図である。図４に、“患者ＩＤ”、検査時期として、“検査実施日”及び“登録日”、並びに、検査項目として、“血管超音波検査”を示す。さらに、図４に、測定項目における測定値として、“拍動計数は○○である”、“抵抗計数は□□である”、“「内径比」は△△である”を示す。
【００４２】
図４に示すように、読影レポートには、患者ＩＤ、検査時期、検査項目、各測定項目における測定値（図１に示すデータの一部）が記載されている。これらが記載された読影レポートは、レポート記憶部６１１に記憶されている。また、読影レポートが記憶されているアドレスが患者ＩＤ及び検査時期と対応づけられて記憶されている。したがって、検索手段６５は、患者ＩＤ及び検査時期に基づいて、所望の読影レポートを検索することが可能である。
【００４３】
読影医が過去の読影レポートを参照して、新たな読影レポートを作成するとき、レポート記憶部６１１から過去の読影レポートを一つずつ読み出し、読み出した過去の読影レポートの中から所定の測定項目における測定値を探し出し、探し出した測定値に基づいて、新たな読影レポートを作成することが可能であるが、それでは、読影レポートの作成に多くの時間がかかってしまう。
【００４４】
そこで、レポート作成支援機能としては、各測定項目における測定値及び検査時期をディスプレイ６４に一覧表示させる。また、一覧表示された測定値及び検査時期に基づいて、過去の読影レポートを表示させる。
【００４５】
以下に、測定値及び検査時期を一覧表示させるレポート作成支援機能の一例について図２及び図５を参照して説明し、続いて、過去の読影レポートを一覧表示させるレポート作成支援機能の他の例について図２及び図５を参照して説明する。図５は、読影レポートシステムの構成ブロック図である。
【００４６】
図５に示すように、医療施設に構築されたローカルエリアネットワーク（ＬＡＮ）には、モダリティ１と、ＤＩＣＯＭ（Ｄｉｇｉｔａｌ  Ｉｍａｇｉｎｇ  ａｎｄ  ＣＯｍｍｕｎｉｃａｔｉｏｎ  ｉｎ  Ｍｅｄｉｃｉｎｅ）サーバ２と、ＤＩＣＯＭビューア３と、ＲＩＳ（Ｒａｄｉｏｌｏｇｙ  Ｉｎｆｏｒｍａｔｉｏｎ  Ｓｙｓｔｅｍ）サーバ４と、レポートサーバ５と、レポートクライアント６と、ＨＩＳ（Ｈｏｓｐｉｔａｌ  Ｉｎｆｏｒｍａｔｉｏｎ  Ｓｙｓｔｅｍ）サーバ７とが接続されている。
【００４７】
ＨＩＳサーバ７は、例えば、患者情報の登録及び検査オーダーの発行を行う。ＨＩＳサーバ７は、患者情報をレポートサーバ５に送信する。また、ＨＩＳサーバ７は、患者情報及び検査オーダーをＲＩＳサーバに送信する。検査オーダーには、検査項目、緊急区分の有無、依頼先の情報、コメントが含まれる。
【００４８】
ＲＩＳサーバ４は、例えば、検査予約及び検査実績管理を行う。モダリティ１は、検査予約に基づき、被検体を撮影し、撮影された結果（撮影データ）に基づいて画像を生成する。画像は、ＤＩＣＯＭ画像として、ＤＩＣＯＭサーバ２に記憶され、ＤＩＣＯＭビューア３、レポートサーバ５、及び、レポートクライアント６に表示可能となる。
【００４９】
〔データマイニング〕
ここで、選び出された読影レポートに記載された所見文を形態素解析により単語単位に分割して、抽出された単語宇を医用辞書などと照らし合わせて、文節や単語の意味づけを行い、測定項目における測定値及び検査時期を検索するデータマイニングの手法（例えば、特開２００７−３０５１０７号公報に記載された方法）において説明する。データマイニングの手法は、レポート記憶部６１１に記憶された測定項目における測定値等（図１に示すデータ）がないとき、測定値等を探し出すときに有効である。
【００５０】
例えば、選び出された過去の３つの読影レポートから測定項目である拍動計数（ＰＩ）の測定値及び検査時期が次のように出力可能となる。
“１．７”、“１／６／２０１１”、“１．８”、“２／１／２０１１” 、“１．７”、“３／２／２０１１”
【００５１】
同様に、測定項目である抵抗計数（ＲＩ）の測定値及び検査時期が次のように出力可能となる。
“０．７”、“１／６／２０１１”、“０．８”、“２／１／２０１１” 、“０．７”、“３／２／２０１１”
【００５２】
さらに、測定項目である内径比（ＲＳ）の測定値及び検査時期が次のように出力可能となる。
“０．４”、“１／６／２０１１”、“０．３”、“２／１／２０１１” 、“０．３”、“３／２／２０１１”
【００５３】
図６は一覧表示された測定値及び検査時期の一例を示す図である。図６に、検査時期を行方向、測定項目における測定値を列方向のマトリックス状に配列された図表を示す。
【００５４】
測定項目検索部６５１は、一覧表示させるためのデータを、レポート記憶部６１１に記憶された測定項目における測定値等（図１に示すデータ）から検索してもよく、前述するように、読影レポートから探し出してもよい。
【００５５】
表示制御手段６２は、検索した測定項目における測定値及び検査時期を一覧表示させる（図６参照）。ここで、「一覧表示」とは、図６に示すように、測定項目における測定値及び検査時期をリスト表示したものに限らず、グラフ表示したものであってもよい。
【００５６】
図７はグラフ表示された測定値及び検査時期の一例を示す図である。図７に、検査時期を横軸、測定項目における測定値を縦軸とする座標上の点に、測定項目毎の測定値が配置された図を示す。
【００５７】
表示制御手段６２は、対応付けられた測定値及び検査時期を座標上の点に配置して、ディスプレイ６４に表示させる（座標表示）。この座標表示では、測定項目における測定値の時間的な変化を視認することが可能となる。これにより、測定項目について、読影レポートを作成することが容易となる。
【００５８】
さらに、表示制御手段６２は、横軸方向で隣り合う点同士により挟まれた線分から構成された線グラフを表示させる（グラフ表示）。このグラフ表示により、線分の傾きとして表された測定項目における測定値の時間的な変化を容易に視認することが可能となる。これにより、測定項目について、読影レポートを作成することがさらに容易となる。
【００５９】
以上に、図６に示すリスト表示、及び、図７に示すグラフ表示のように、対応づけられた測定値及び検査時期を一覧表示するレポート作成支援機能の一例を説明した。
【００６０】
〔レポート作成支援機能の他の例〕
次に、上記の測定値等の一覧表示に続けて、過去の読影レポートを一覧表示するレポート作成支援機能の他の例について説明する。
【００６１】
ここでは、測定値等の一覧表示として、図７に示すグラフ表示を用いて説明する。図７に個別の線分を“Ｌ１”、“Ｌ２”、“Ｌ３”で示し、複数の線分の全体（線）を”Ｌ”で示す。なお、図７では、測定項目Ｒ１の線や線分について、符号Ｌ、Ｌ１、Ｌ２Ｌ３、…を付し、それらの構成を代表して説明するが、他の測定項目Ｐ１、ＲＳ等の線や線分の構成についても同様である。
【００６２】
図２に示すように、過去の読影レポートを一覧表示するレポート作成支援機能６０１は、記憶手段６１、表示制御手段６２、入力部６３、ディスプレイ６４、及び、検索手段６５を有している。
【００６３】
（記憶手段）
レポート記憶部６１１には、過去の読影レポートが記憶されたアドレスが、検査時期及び測定項目と対応付けられて記憶されている。
【００６４】
（入力部）
入力部６３は、座標上の点（線分を挟む点）、線分、及び複数の線分の全体（線）を指定する。なお、「入力部６３の操作による指定」とは、前述したように、例えば、マウスを用いて、カーソルを移動させ、クリックをすることにより点、線分、や全体（線）が指定されることを意味する。座標上の点の指定は、点の位置にカーソルを移動させてクリックすることによる。座標上の線分の指定は、いずれかの線分の表示領域（または、その線分に対応する表示領域）にカーソルを移動させてクリックすることによる。さらに、全体（線）の指定は、線の表示領域（または、その線分に対応する表示領域、例えば、図７に示す“ＲＩ”、“ＰＩ”、“ＲＳ”の表示領域）にカーソルを移動させてクリックすることによる。
【００６５】
線分を挟む点は、座標上において、測定項目における測定値及び検査時期を示すものある。測定項目における測定値及び検査時期と読影レポートが記憶されるアドレスとは、前述した通り、対応づけられてレポート記憶部６１１に記憶されている。
【００６６】
（検索手段）
検索手段６５は、入力部６３の操作による指定（例えば、線分を挟む点）を受けて、点に対応する測定値及び検査時期を基に、レポート記憶部６１１を参照して、読影レポートを検索し、検索結果として、内部メモリに記憶させる。
【００６７】
（表示制御手段）
表示制御手段６２は、検索結果（読影レポート）をディスプレイ６４に表示させる（図８、図９参照）。
【００６８】
図８は二つの読影レポートの表示例を示す図である。図８に、横並びに表示された二つの読影レポートを示す。
【００６９】
例えば、入力部６３の操作により線分Ｌ１が指定されたとき、検索手段６５は、線分Ｌ１を挟む点に対応する測定項目及び検査時期（１／６／２１０１１、２／１／２０１１）の読影レポートを検索し、内部メモリに記憶させる。表示制御手段６２は、検索結果（二つの読影レポート）を一覧表示させる（図８参照）。
【００７０】
図９は三つの読影レポートの表示例を示す図である。図９に、横並びに表示された三つの読影レポートを示す。
【００７１】
例えば、入力部６３の操作により線分Ｌ１、Ｌ２が指定されたとき、検索手段６５は、線分Ｌ１、Ｌ２をそれぞれ挾む点に対応する測定項目及び検査時期（１／６／２１０１１、２／１／２０１１、３／２／２０１１）の読影レポートを検索し、内部メモリに記憶させる。表示制御手段６２は、検索結果（三つの読影レポート）を一覧表示させる。
【００７２】
なお、線分Ｌ１、Ｌ３のように、間の線分Ｌ２を空けて、指定してもよい。このときは、線分Ｌ１、Ｌ３を挟む点が四つであることから、四つの読影レポートが一覧表示されることとなる。
また、挟む点が複数あるとき、入力部６３の操作によりそれらの点のうちから一以上の選択を受けて、検索手段６５がレポート記憶部６１１を参照してそれらの点に対応する読影レポートを検索し、表示制御手段６２が、選択された点に対応する読影レポートを一覧表示するように構成してもよい。この構成では、一つの点が選択されたとき、その点に対応する一つの読影レポートが表示されることとなる。
【００７３】
以上のように、測定項目等の一覧表示に続けて、過去の読影レポートを一覧表示することにより、測定項目における測定値に関するより詳細な情報を多くの時間をかけずに取得することができ、読影レポートをさらに容易に作成することが可能となる。
【００７４】
なお、前記実施形態では、挟む点に対応する読影レポートを一覧表示させる手段を示したが、これに限らない。例えば、表示制御手段６２が、入力部６３の操作による線分を挟む点のいずれか一つの指定を受けて、検索した結果（図２に示す検索結果）を参照して、その点に対応する読影レポートを読み出して、表示させてもよい。
【００７５】
また、例えば、表示制御手段６２が、入力部６３の操作による全体（線）Ｌの指定を受けて、全体Ｌを構成する線分（Ｌ１、Ｌ２、Ｌ３、…）を挟む点（図７では１１点）に対応する複数の読影レポートを検索した結果（図２に示す検索結果）を参照して読み出して、一覧表示させてもよい。さらに、挟む点のうちから、一以上の選択を受けて、選択された点に対応する読影レポートを一覧表示するように構成してもよい。
【００７６】
［変形例］
次に、読影レポートシステムの変形例について、図８から図１５を参照して説明する。
なお、変形例において、前記実施形態と同じ構成については同一番号を付してその説明を省略し、異なる構成について主に説明する。
【００７７】
前記実施形態では、図２に示すように、測定項目及び検査時期を一覧表示させるレポート作成支援機能６０１、及び、過去の複数の読影レポートを一覧表示させるレポート作成支援機能６０１を示した。これに対し、変形例では、過去の複数の読影レポートの一覧表示に続けて、サマリーレポート作成画面を表示させるサマリーレポート作成支援機能６０２を説明する。
【００７８】
〔サマリーレポート作成支援機能〕
図２に示すように、記憶手段６１、表示制御手段６２、入力部６３、ディスプレイ６４及び検索手段６５により、サマリーレポート作成支援機能６０２が構成されている。
【００７９】
レポート記憶部６１１には、サマリーレポート作成画面を含む画面情報が記憶されている。
【００８０】
入力部６３はアイコン６３３を有する。表示制御手段６２は、読影レポートが一覧表示される画面にアイコン６３３を表示させる（図８及び図９参照）。
【００８１】
検索手段６５は、画面検索部６５２を有する。画面検索部６５２は、入力部６３の操作によるアイコン６３３の指定を受けて、レポート記憶部６１１を参照して、サマリーレポート作成画面を検索する。
【００８２】
図１０はサマリーレポート作成画面の一例を示す図である。図１０に示すように、表示制御手段６２は、検索されたサマリーレポート作成画面をディスプレイ６４に表示させる。
【００８３】
このように、複数の読影レポートが一覧表示されているとき、サマリーレポート作成画面が表示されるので、多くの時間をかけずに、サマリーレポートの作成に移ることが可能となる。
【００８４】
図１１はサマリーレポートの表示例を示す図である。図１１に、各読影レポートの所見に基づいて作成されたサマリーレポートの内容、各読影レポートに貼り付けられているキー画像を示す。
【００８５】
図１５は、サマリーレポートの内容の一例を示す図である。図１５に、一例として、“○○の□□が・・・△△程腫れている”の文字列を示す。
【００８６】
図１２はサマリーレポートの中で表示されるキー画像の一例を示す図、図１３はキー画像の他の例を示す図、図１４はキー画像の他の例を示す図である。
図１２に、キー画像として、左室壁の断面図を示す。図１２では、左室壁を所定数に分画して表示する。これにより、壁の厚さの変化や壁エコーの性状，および運動異常の重症度を判定することが可能となる。
【００８７】
図１３に、心室中隔の断面図を示す。図１３においても、中隔を所定数に文画して表示する。
【００８８】
図１４に、キー画像を示す。例えば、複数のキー画像が重ね合わされて表示される。入力部６３の操作による、重ね合わされたキー画像のうちのいずれか一つの選択を受けて、表示制御手段６２が選択されたキー画像を表示する。キー画像を次々に選択し、表示させることにより、病変部の形態の時間的な変化を判断することが可能となる。
【００８９】
〔読影レポートの作成の動作〕
次に、読影レポートの作成の動作について図１６を参照して説明する。図１６は、読影レポートの作成における一連の動作を示すフローチャートである。なお、前述したように、患者ＩＤ及び検査時期と読影レポートが記憶されているアドレスとは、対応づけられてレポート記憶部６１１に記憶されている。
【００９０】
ここでは、図３に示す患者情報の画面が表示されている。患者情報としては、患者ＩＤ、検査時期（ここでは登録日）、測定項目、及び、測定値が含まれる。測定値としては、図１に示す表と同じものが表示される。この患者情報の画面には、アイコン６３１、６３２およびテキストボックス６３４が表示されている。
【００９１】
読影医が新たな読影レポートを作成するとき、患者に対し、過去どのくらいの期間、どの測定項目について調べるかを定めるには、入力部６３を操作することにより、テキストボックス６３４を用いて、検査時期を指定し、さらに、測定項目を指定することにより行われる。また、調べた結果をどのように表示させるかを定めるには、入力部６３を操作することにより、アイコン６３１、６３２のいずれを指定することにより行われる。
【００９２】
（測定値等の検索：Ｓ１０１）
読影医は、入力部６３の操作により、検査時期及び測定項目を指定する。
測定項目検索部６５１は、入力部６３の操作による指定（患者ＩＤ、測定項目、検査時期）を受けて、レポート記憶部６１１を参照して、測定項目における測定値及び検査時期を検索し、検索した結果を内部メモリに記憶させる。
【００９３】
（測定値等の一覧表示：Ｓ１０２）
読影医は、入力部６３の操作により、アイコン６３１、６３２を指定する。いずれのアイコンを指定してもよいが、ここでは、先ず、アイコン６３１を指定することとする。
表示制御手段６２は、前記検索した結果に基づいて、アイコン６３１の指定を受けて、対応付けられた測定値及び検査時期を一覧表示させる（図８に示すリスト表示、図６参照）。それにより、読影医は、過去の読影レポートを一つずつ表示させて、測定項目における測定値を探し出す必要がなく、測定項目における測定値の時間的な変化を容易に判断することができ、測定項目について、読影レポートを作成することが容易となる。また、一覧表示させることにより、読影を依頼した診療医が、測定値の推移や経過を容易に確認できる。
【００９４】
（グラフ表示の可否判断：Ｓ１０３）
次に、検索手段６５は、入力部６３の操作によるアイコン６３２の指定が有るかどうかを判断する。
【００９５】
（一覧表示終了の判断：Ｓ１０４）
入力部６３の操作によるアイコン６３２の指定（グラフ表示の指示）がないと表示制御手段６２が判断したとき（Ｓ１０３：Ｎｏ）、検索手段６５は、入力部６３の操作によるリスト表示終了の指示が有るかどうか判断する。リスト表示終了の指示を受けたと検索手段６５が判断したとき（Ｓ１０４：Ｙｅｓ）、リスト表示が終了する。一方、リスト表示終了の指示を受けたと表示制御手段６２が判断しないとき（Ｓ１０４：Ｎｏ）、アイコン６３２の指定（グラフ表示の指示）があるかどうかの判断（Ｓ１０３）に戻る。
【００９６】
（グラフ表示：Ｓ１０５）
入力部６３の操作によるアイコン６３２の指定（グラフ表示の指示）を受けたと表示制御手段６２が判断したとき（Ｓ１０３：Ｙｅｓ）、グラフ表示部６２１は、測定値を、座標の上の点として表示させるとともに、横軸方向で隣り合う点同士により挟まれた線分から構成された線グラフを表示させる（図７参照）。線分の傾きから測定項目における測定値の変化を容易に判断することが可能となる。
【００９７】
（指定対象の判断：Ｓ１０６）
次に、表示制御手段６２は、入力部６３の操作により指定された対象が、点、線分、複数の線分の全体（線）のいずれであるかを判断する。
【００９８】
（点に対応するレポート表示：Ｓ１０７）
指定された対象が点であると表示制御手段６２が判断したとき（Ｓ１０６：ＣＡＳＥ＝１）、検索手段６５は、その点に対応する測定項目及び検査時期を基に、レポート記憶部６１１を参照して読影レポートを検索する。表示制御手段６２は、検索した結果を基に、読影レポートを表示させる。それにより、読影レポートを表示させるのに多くの時間を要さないで済む。
【００９９】
（線分に対応するレポート表示：Ｓ１０８）
指定された対象が線分であると表示制御手段６２が判断したとき（Ｓ１０６：ＣＡＳＥ＝２）、その線分に対応する測定項目及び検査時期を基に、レポート記憶部６１１を参照して読影レポートを検索する。表示制御手段６２は、検索した結果を基に、読影レポートを表示させる。このとき、二つの読影レポートが横に並べられて表示される。それにより、二つの読影レポートを比較するのが容易となる。二つの読影レポートが表示された画面には、アイコン６３３が表示される（図８参照）。
【０１００】
（全体（線）に対応するレポート表示：Ｓ１０９）
指定された対象が全体（線）であると表示制御手段６２が判断したとき（Ｓ１０７：ＣＡＳＥ＝３）、その線に対応する測定項目及び検査時期を基に、レポート記憶部６１１を参照して読影レポートを検索する。表示制御手段６２は、検索した結果を基に、読影レポートを表示させる。それにより、二以上の読影レポートが横に並べられて表示される。三つの読影レポートが表示された画面には、アイコン６３３が表示される（図９参照）。
【０１０１】
（サマリーレポート作成判断：Ｓ１１０）
次に、検索手段６５は、入力部６３の操作により予め定められたアイコン６３３（図８、図９参照）の指定を受けたかどうかを判断する。
【０１０２】
（サマリーレポート作成画面の表示：Ｓ１１１）
アイコン６３３の指定を受けたと検索手段６５が判断したとき（Ｓ１１０：Ｙｅｓ）、画面検索部６５２は、レポート記憶部６１１を参照してサマリーレポート作成画面を検索する。表示制御手段６２は、サマリーレポート作成画面を表示させる（図１０参照）。それにより、サマリーレポート作成画面を表示させるのに多くの時間を要しないで済む。
【０１０３】
（レポート表示終了の判断：Ｓ１１２）
アイコン６３３の指定を受けたと検索手段６５が判断しないとき（Ｓ１１０：Ｎｏ）、検索手段６５は、入力部６３の操作により読影レポート表示終了の指示を受けたかどうかを判断する。
【０１０４】
読影レポート表示終了の指示を受けたと検索手段６５が判断したとき（Ｓ１１２：Ｙｅｓ）、読影レポートの表示を終了する。読影レポート表示終了の指示を受けたと検索手段６５が判断しないとき（Ｓ１１２：Ｎｏ）、アイコン６３３（図８、図９参照）の指定を受けたかどうかの検索手段６５による判断（Ｓ１１０）に戻る。
【０１０５】
〔検査オーダーの発行〜読影レポートの作成等の動作〕
以上に、レポート作成支援機能６０１及びサマリーレポート作成支援機能６０２、並びにそれらの動作について説明した。
【０１０６】
次に、検査オーダーの発行から読影レポートの作成、記憶までの一連の動作について図１７を参照して説明する。図１７は、検査オーダーの発行から読影レポートの作成までの一連の動作を示すフローチャートである。
【０１０７】
（検査オーダーの発行：Ｓ２０１）
先ず、ＲＩＳサーバ４が検査オーダーを発行する。
【０１０８】
（検査オーダーの送り：Ｓ２０２）
次に、ＲＩＳサーバ４からモダリティ１に検査オーダーが送られる。
【０１０９】
（検査オーダーの送り：Ｓ２０９）
前後して、ＲＩＳサーバ４からレポートサーバ５に検査オーダーが送られる。
【０１１０】
（被検体の撮影等：Ｓ２０３）
次に、モダリティ１を用いて、被検体が撮影される。モダリティ１は、撮影データに基づいて、画像を生成する。
【０１１１】
（ＤＩＣＯＭ画像の記憶等：Ｓ２０４）
生成された画像は、ＤＩＣＯＭ画像として、ＤＩＣＯＭサーバ２に送られ、記憶される。ＤＩＣＯＭ画像は、ＤＩＣＯＭサーバ２に記憶されることで、ＤＩＣＯＭビューア３及びレポートサーバ５に表示可能となる。レポートサーバ５は、レポートクライアント６からの要求を受けて、ＤＩＣＯＭ画像をレポートクライアント６に送信する。
【０１１２】
（測定：Ｓ２０５）
読影医は、ＤＩＣＯＭ画像に基づいて、測定項目（病変部の形態や機能）を測定する。
【０１１３】
（測定値の記憶：Ｓ２０６）
測定項目における測定値は、検査時期（ここでは、検査実施日）と共に、レポートサーバ５に送られ、記憶される。レポートサーバ５は、レポートクライアント６からの要求を受けて、測定値をレポートクライアント６に送信する。
【０１１４】
（読影レポートの作成：Ｓ２０７）
読影医は、過去の測定項目における測定値、また、過去の読影レポートを参照して、測定項目における測定値及び検査時期に基づいて読影レポートを作成する。なお、読影レポートの作成の詳細については、前述した。
【０１１５】
（レポートの記憶：Ｓ２０８）
作成された読影レポートは、レポートサーバ５に記憶される。
以上のように、検査オーダーが発行される毎に、撮影された被検体のＤＩＣＯＭ画像に基づいて、複数の読影レポートが作成され、それらがレポートサーバ５に記憶される。
【０１１６】
なお前記実施形態では、所望の測定項目における測定値を一覧表示させるとき、リスト表示（図６参照）またはグラフ表示（図７参照）を用いたが、両方を同じ画面に表示させてもよい。それにより、グラフ表示を用いて、測定値の変化の傾向を迅速に視認できるとともに、リスト表示を用いて、変化の詳細を実際の数値で確認できる。
【０１１７】
また、サマリーレポート作成支援機能６０２において、アイコン６３３を、二以上の読影レポートが並べて表示させた画面に表示させたが、これに限らず、一つの読影レポートが表示させた画面に表示させてもよい。
【０１１８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、書き換え、変更を行うことができる。これら実施形態やその変形は、発明の範囲や要旨に含まれるととともに、特許請求の範囲に記載された発明とその均等の範囲に含まれる。
【符号の説明】
【０１１９】
１  モダリティ
２  ＤＩＣＯＭサーバ
３  ＤＩＣＯＭビューア
４  ＲＩＳサーバ
５  レポートサーバ
６  レポートクライアント
６０１  レポート作成支援機能
６０２  サマリーレポート作成支援機能
６１  記憶手段
６１１  レポート記憶部
６２  表示制御手段
６２１  線グラフ表示部
６３  入力部
６４  ディスプレイ
６５  検索手段
６５１  測定項目検索部
６５２  画面検索部
７  ＨＩＳサーバ
【図１】
2014102629.tif 000003
【図２】
2014102629.tif 000004
【図３】
2014102629.tif 000005
【図４】
2014102629.tif 000006
【図５】
2014102629.tif 000007
【図６】
2014102629.tif 000008
【図７】
2014102629.tif 000009
【図８】
2014102629.tif 000010
【図９】
2014102629.tif 000011
【図１０】
2014102629.tif 000012
【図１１】
2014102629.tif 000013
【図１２】
2014102629.tif 000014
【図１３】
2014102629.tif 000015
【図１４】
2014102629.tif 000016
【図１５】
2014102629.tif 000017
【図１６】
2014102629.tif 000018
【図１７】
2014102629.tif 000019